(57)【要約】【課題】飲食物案内作業を行う際に、座席番号の入力を容易かつ正確に行うことができる飲食物搬送装置を提供すること。【解決手段】厨房室Ｓ１で調理された飲食物を循環搬送路３に載せ、この循環搬送路３に沿って配置されたテーブルの顧客に飲食物を循環搬送させる飲食物循環搬送部１０と、テーブルの顧客が厨房室Ｓ１の調理人に循環搬送路３に載せる飲食物を注文する飲食物注文部２０と、循環搬送路３に載せられた飲食物が飲食物注文部２０で注文された飲食物であることをテーブルの顧客に案内する飲食物案内部３０とを備えている。【選択図】　　　　　　図１
2004016723.tif 000002
【特許請求の範囲】
【請求項１】
厨房室で調理された飲食物を循環搬送路に載せ、この循環搬送路に沿って配置されたテーブルの顧客に飲食物を循環搬送させる飲食物循環搬送部と、テーブルの顧客が厨房室の調理人に循環搬送路に載せる飲食物を注文する各テーブルに設けられた飲食物注文部と、循環搬送路に載せられた飲食物が飲食物注文部で注文された飲食物であることをテーブルの顧客に案内する飲食物案内部とを備えた飲食物搬送装置であって、
飲食物注文部は、顧客からの注文情報を入力する注文情報入力手段と、この注文情報入力手段に注文情報で入力された注文情報に基づいて座席の座席番号情報を飲食物案内部に送信する送信手段とを備え、
飲食物案内部は、前記飲食物注文部の送信手段により送信される座席番号情報を受信する受信手段と、受信手段で受信された座席番号情報を表示するための表示手段と、を備えたことを特徴とする飲食物搬送装置。
【請求項２】
顧客からの注文情報を飲食物案内部で受信したことを通知する通知手段を飲食物注文部に設けたことを特徴とする請求項１に記載の飲食物搬送装置。
【発明の詳細な説明】
【０００１】
【産業上の利用分野】
本発明は、飲食店、特に鮨店などにおいて、例えば皿に盛り合わせた鮨を搬送装置の循環搬送路に載せて循環搬送し、顧客が好みの鮨を循環搬送路から取り出して自由に食するようにした店舗で用いる飲食物案内装置に関する。
【０００２】
【従来の技術】
近年、店内に多数配置されるテーブルやカウンターに沿って循環する循環搬送路を備えた搬送装置を設置した鮨店では、調理人が、厨房室内にてシャリ玉上に鮨ネタを載せて握り、出来上がった鮨を皿上に載せた上で搬送装置の循環搬送路上に移し替え、該搬送装置により客室の各テーブルに順次搬送する一方、顧客は、前記搬送装置により順次送られてくる複数種類の鮨を好みに応じて循環搬送路から適宜取り出して食するようにしている。
【０００３】
ところで、本願の特許出願人は、以上の搬送装置に関連して、飲食物の搬送先の座席番号を簡単且つ容易に変更することが出来る飲食物案内装置（特願２００１−３８１６１８）を提供している。
この飲食物案内装置は、座席の番号を表示する表示手段と、表示手段を制御するための制御手段と、表示手段に表示される座席番号を入力するための入力手段とを備え、循環搬送路上に載置可能な装置本体を形成して、この装置本体に表示手段と制御手段を搭載する一方、入力手段が装置本体とは別に形成されたコードレスのリモートコントロール部から構成されている。
【発明が解決しようとする課題】
【０００４】
しかしながら、上記のように構成された飲食物案内装置においては、一つの問題を有していた。
すなわち、上記飲食物案内装置においては、表示手段に表示される座席番号を装置本体とは別に形成されたコードレスのリモートコントロール部を用いて入力する必要があり、調理等が忙しい場合に、その都度座席番号を入力することは非常に手間がかかる。
また、リモートコントロール部のキーを押し違えて、座席番号の入力を誤るおそれがあった。
【０００５】
本発明は、上記目的を達成するためになされたものであり、飲食物案内作業を行う際に、座席番号の入力を容易かつ正確に行うことができる飲食物搬送装置を提供することを目的とする。
【０００６】
上記目的を達成するために、請求項１の発明は、
厨房室で調理された飲食物を循環搬送路に載せ、この循環搬送路に沿って配置されたテーブルの顧客に飲食物を循環搬送させる飲食物循環搬送部と、テーブルの顧客が厨房室の調理人に循環搬送路に載せる飲食物を注文する各テーブルに設けられた飲食物注文部と、循環搬送路に載せられた飲食物が飲食物注文部で注文された飲食物であることをテーブルの顧客に案内する飲食物案内部とを備えた飲食物搬送装置であって、
飲食物注文部は、顧客からの注文情報を入力する注文情報入力手段と、この注文情報入力手段に注文情報で入力された注文情報に基づいて座席の座席番号情報を飲食物案内部に送信する送信手段とを備え、
飲食物案内部は、前記飲食物注文部の送信手段により送信される座席番号情報を受信する受信手段と、受信手段で受信された座席番号情報を表示するための表示手段と、を備えたことを特徴とする。
【０００７】
請求項２の発明は、請求項１に記載の飲食物搬送装置において、
顧客からの注文情報を飲食物案内部で受信したことを通知する通知手段を飲食物注文部に設けたことを特徴とする。
【０００８】
【作用】
上記請求項１の発明によれば、顧客は飲食物注文部の注文情報入力手段で飲食物の注文情報を入力すると、注文情報を入力した座席の座席番号情報が送信手段により飲食物案内部に送信される。
飲食物案内部では、飲食物注文部から送信された座席番号情報を受信手段で受信して、表示手段で座席番号情報を表示する。
請求項２の発明によれば、飲食物注文部に設けられた通知手段により、顧客からの注文情報を飲食物案内部で受信したことを通知する。
【０００９】
以下に、本発明の飲食物搬送装置の一実施形態について説明する。
【００１０】
本発明の飲食物案内装置Ａは、図１に示すように、厨房室Ｓ１で調理された飲食物を循環搬送路３に載せ、この循環搬送路３に沿って配置されたテーブルの顧客に飲食物を循環搬送させる飲食物循環搬送部１０と、テーブルの顧客が厨房室Ｓ１の調理人に循環搬送路３に載せる飲食物を注文する飲食物注文部２０と、循環搬送路３に載せられた飲食物が飲食物注文部２０で注文された飲食物であることをテーブルの顧客に案内する飲食物案内部３０とを備えている。
【００１１】
飲食物搬送部１０は、同図に示すように、厨房室Ｓ１と客室Ｓ２に設置するカウンターテーブル１ａ及び複数の脚付きテーブル１ｂと、前記厨房室Ｓ１の前面乃至各テーブル１ａ・１ｂに沿って配置した仕切りハウジング２と、仕切りハウジング２に周回状に設けられて、厨房室Ｓ１内で皿に盛り合わされた寿司を各テーブル１ａ・１ｂに搬送するための循環搬送路３とを備えている。
【００１２】
仕切ハウジング２は、図２に示すように、所定間隔開けて相対向する側壁２０１・２０２と、これら両側壁２０１・２０２の上端及び下端を結ぶ上壁２０３及び底壁（図示せず）とから断面ボックス状に形成されたものであって、前記厨房室Ｓｌの前面に沿って配設されて該厨房室Ｓ１と客室Ｓ２とを区画する第１ハウジング部２ａと、核第１ハウジング部２ａの長手方向両端から屈曲して前記客室Ｓ２内に平行に延びる第２、第３ハウジング部２ｂ・２ｃとから成り、前記第２、第３ハウジング部２ｂ・２ｃにおける側壁２０１・２０２の外側方には、前記したカウンターテーブル１ａと、脚付きテーブル１ｂとを配置している。
【００１３】
飲食物搬送路３は、各ハウジング部２ａ・２ｂ・２ｃの上壁２０３に設けた凹所３０１と、該凹所３０１の幅方向両側に設けられた案内壁３０２に案内されながら前記凹所３０１内をモータ駆動により循環移動する無端状のフラットチェーン３０３とを備え、図３にも示すように、循環搬送路３のフラットチェーン３０３上に、例えば鮨などの飲食物を盛った皿Ｐを載せて循環搬送するようにしている。
【００１４】
飲食物注文部２０は、顧客からの注文情報を入力する注文情報入力手段と、この注文情報入力手段に注文情報で入力された注文情報に基づいて座席の座席番号情報を飲食物案内部に送信する送信手段とを備えて構成され、本実施形態においては、図１に示すように、厨房室Ｓ１側に配設される第１の送受話手段２１と、客室Ｓ２のテーブル側に配設され、前記第１の送受話手段２１との間で通話を行うための複数からなる第２の送受話手段２２とから構成されている。
【００１５】
第１の送受話手段２１は、図４に示すように、ほぼ直方体形状のケーシング２１ａ（図５参照）内に、予め顧客からの注文に対する応答メッセージを記憶した記憶部としてのメモリ２１ｂと、このメモリ２１ｂに記憶された応答メッセージを選択する選択部２１ｃと、選択部２１ｃで選択された応答メッセージをメモリ２１ｂから読み出して再生する再生部２１ｄと、第２の送受話手段２２から送信される座席番号情報を飲食物案内部３０に送信する送信部２１ｋを備えている。なお、上記送信部２１ｋは、特許請求の範囲に記載された座席番号情報を飲食物案内部に送信する送信手段に該当する。
【００１６】
上記メモリ２１ｂは、顧客からの注文に対する種々の応答メッセージがデジタル式の音声データの形式で予め記憶されている。
例えば、▲１▼「ご注文をどうぞ」、▲２▼「はい、かしこまりました」、▲３▼「少々、お待ちください」、▲４▼「ただいま、品切れしております」等の応答メッセージがデジタル形式の音声データとして記憶されており、選択部２１ｃでこれらの応答メッセージを選択することができる構成となっている。
【００１７】
選択部２１ｃは、上記メモリ２１ｂに記憶された応答メッセージを選択するもので、第１の送受話手段２１のケーシング２１ａの表面側に配設された選択ボタン１〜７により構成されている（図５参照）。
そして、これら各選択ボタンを適宜押し下げることにより、この第１の送受話手段２１のメモリ２１ｂに記憶された応答メッセージのうちから各選択ボタンに関連付けられた一つの応答メッセージが選択され、再生部２１ｄで再生される構成となっている。
例えば、選択ボタン１を押すと、メモリ２１ｂ内に記憶された▲１▼の応答メッセージである「はい、かしこまりました」のメッセージが再生される。
【００１８】
再生部２１ｄは、図４において、上述したメモリ２１ｂ、選択部２１ｃ及び送信部２１ｋに接続されたコントローラ２１ｅと、このコントローラ２１ｅに接続されたＤ−Ａ変換器２１ｆと、第２の送受話手段２２との通話を可能とするスピーカ２１ｇ及びマイクロフォン２１ｈとから構成されている。
上記コントローラ２１ｅは、選択部２１ｃの選択ボタン１〜７が押し下げられたことを検知して、この選択ボタンに対応する応答メッセージの音声データをメモリ２１ｂから読み出し、読み出した音声データをＤ−Ａ変換器２１ｆに送信する構成となっている。
【００１９】
また、上記コントローラ２１ｅは、第２の送受話手段２２から座席番号情報が送信されると、この送信された座席番号情報を送信部２１ｋに送信する。
【００２０】
Ｄ−Ａ変換器２１ｆは、第２の送受話手段２２に接続されており、前記コントローラ２１ｅによりメモリ２１ｂから読み出されたデジタル式の音声データをアナログ式の音声信号に変換し、この音声信号を第２の送受話手段２２に送信する。
また、スピーカ２１ｇ及びマイクロフォン２１ｈは、第１の送受話手段２１のケーシング２１ａの表面側に配設されており、本実施形態においては、スピーカ及びマイクロフォンの機能を兼用するマイク兼用スピーカ２１ｉから構成されている（図５参照）。
なお、ケーシング２１ａの表面には、複数の第２の送受話手段２２のうち、いずれの第２の送受話手段２２と通話しているのかを確認するための確認用の点灯ランプ２１ｊ（図５参照）が配設されている。
【００２１】
送信部２１ｋは、本実施形態においては、赤外光ＬＥＤから構成されており、コントローラ２１ｅがこの赤外光ＬＥＤのドライバ２１ｍを制御して発光させることにより、飲食物案内部３０に座席番号情報を送信する構成となっている。
【００２２】
第２の送受話手段２２は、図４において、そのケーシング２２ａ（図５参照）内に顧客の音声による注文を電気信号に変換するマイクロフォン２２ｂと、マイクロフォン２２ｂからの電気信号を増幅する増幅器２２ｃと、第１の送受話手段２１のＤ−Ａ変換器２１ｆからのアナログ信号を増幅器２２ｃを介して音声に変換するスピーカ２２ｄとを備えている。
ここで、上述したＤ−Ａ変換器２１ｆは第１の送受話手段２１内ではなく、上記第２の送受話手段２２内に配設されても構わない。
【００２３】
マイクロフォン２２ｂは、増幅器２２ｃを介して上述した第１の送受話手段２１のスピーカ２１ｈと結線されており、このマイクロフォン２２ｂに入力された顧客からの注文を伝える音声は注文情報として増幅器２２ｃで増幅され、厨房室Ｓ１に配された第１の送受話手段２１のマイク兼用スピーカ２１ｉから聞こえる構成となっている。
【００２４】
また、増幅器２２ｃは第１の送受話手段２１のＤ−Ａ変換器２１ｆに結線されており、Ｄ−Ａ変換器２１ｆでアナログ信号に変換された応答メッセージは、この増幅器２２ｃで増幅され、スピーカ２２ｄで電気信号から音声に変換されて顧客に伝える構成となっている。
【００２５】
上記第２の送受話手段２２は、ケーシング２２ａの表面側に、上記マイクロフォン２２ｂ及びスピーカ２２ｄの機能を実現するマイク兼用スピーカ２２ｆが配設されているとともに、このマイク兼用スピーカ２２ｆの下部に、顧客が第１の送受話手段２１との間で通話する際に通話可能とする通話ボタン２２ｇが配設されている（図５参照）。
【００２６】
そして、上記通話ボタン２２ｇが押し下げられると、予め第２の送受話手段２２に割り当てられた座席番号情報を第１の送受話手段２１のコントローラ２１ｅに送信する構成となっている。
なお、本実施形態において、上記のように構成された第２の送受話手段２２が、特許請求の範囲に記載された顧客からの注文を入力する注文情報入力手段に該当する。
【００２７】
上記のように構成された飲食物注文部２０の第１の送受話手段２１は、図１に示すように、仕切りハウジング２の第１ハウジング部２ａの厨房室Ｓ１側に配設されている。
また、第２の送受話手段２２は、カウンターテーブル１ａと、脚付きテーブル１ｂの各テーブル上に配置されており、本実施形態においては、合計１０個の第２の送受話手段２２が各テーブル上に配設されて本発明の飲食物注文装置Ａの飲食物注文部２０が構成されている。
【００２８】
図６〜８は、飲食物案内部３０を示している。なお、本実施形態においては、図６及び図７に示すように、飲食物案内部３０は、適宜、循環搬送路３上に載置可能な飲食物案内装置（以下、飲食物案内装置３０という）から形成されている。
【００２９】
飲食物案内装置３０は、図６に示すように、各テーブル毎の座席の番号（１）〜（１０）を表示する表示手段３１と、表示手段３１を制御するための制御手段としてのマイクロコンピュータから構成されたコントローラ３２（図８参照）とが備えられ、表示手段３１及びコントローラ３２は、装置本体３０ａに搭載されている。
【００３０】
装置本体３０ａは、図６及び図７に示すように、皿の形状をしたベースハウジング３０ｂと、このベースハウジング３０ｂ上の後方部位に立設した側部ハウジング３０ｃとから構成されている。
【００３１】
そして、この装置本体３０ａには、上述した第１の送受話手段２１の送信部２１ｋから発信される時系列信号を受信するためのホトダイオードからなる受信部３３（図８参照）が設けられており、また、側部ハウジング３０ｃの前面上部には、送信部２１ｋにより入力される座席番号（１）〜（１０）を視覚的に表示する表示手段３１としての液晶性の表示器が組み込まれ、側部ハウジング３０ｃの側面には「ご注文品です」の文字３０ｄ（図７参照）が記載されている。
【００３２】
装置本体３０ａ内には、コントローラ３２の他、バッテリ（図示せず）が収容されている。
また、装置本体３０ａを構成するベースハウジング３０ｂ上には、コントローラ３３により制御されて適宜動作するロボットの形をしたディスプレイ３０ｄが搭載されている。
【００３３】
このディスプレイ３０ｄは、コントローラ３２の制御により、内蔵された駆動機構が動作して、ディスプレイ３０ｄ中のロボットのキャラクタ部分３０ｅが左右に揺れ動くようにしている。
また、ディスプレイ３０ｄのベース部分３０ｆの上面には、コントローラ３２の制御により点灯する左右一対の赤色ランプ３０ｇが組み込まれており、ベース部分３０ｆの内部には、コントローラ３２により制御されるスピーカ３０ｈ（図８参照）が組み込まれている。
【００３４】
つぎに、以上のように構成された飲食物搬送装置Ａの動作について説明する。例えば、座席番号１０番の顧客が、該座席に設けられたテーブルの第２の送受話手段２２の通話ボタン２２ｇを押し下げながら、注文を行った場合、顧客からの注文情報がマイクロフォン２２ｂ、増幅器２２ｃ及び第１の送受話手段２１のスピーカ２１ｇを介して厨房室Ｓ１内の調理人に伝えられるとともに、第２の送受話手段２２の通話ボタン２２ｇが押し下げられることにより座席番号情報（１０番）が第１の送受話手段２１のコントローラ２１ｅに送信され、コントローラ２１ｅがドライバ２１ｍを制御して該座席番号情報が送信部２１ｋから飲食物案内装置３０の受信部３３に送信される。
【００３５】
上記飲食物案内装置３０の受信部３３では、上記送信された座席番号情報が受信され、この情報が表示器３１で表示されるとともに、この状態で、従業員が皿に注文の鮨を盛り、図２及び図３に示すように、注文の鮨をもった皿を循環搬送路３上における装置本体３０ａの後方に載せて、客室Ｓ２に向けて搬送する。
【００３６】
この結果、リモートコントロール等の入力手段により座席番号を入力しなくても、第１の送受話手段２１の送信部２１ｋから送信された座席番号情報が飲食物案内装置３０の受信部３３で受信されて座席番号が表示されるため、飲食物の座席番号案内を容易且つスムーズに行うことができる。
すなわち、注文先である顧客の座席番号情報が飲食物案内装置３０に自動的に入力されることにより、リモートコントロール等の入力手段による座席番号情報の入力ミスを無くすることができ、更に、従業員等が忙しい場合であっても、顧客からの注文情報を受ける度に座席番号情報を入力する必要がなくなる。
【００３７】
また、各座席の顧客は、装置本体３０ａの表示手段３１である表示器を確認するだけで、循環搬送路３により搬送されてくる鮨が自分の注文した品であるか否かを知ることが出来、他の飲食客に誤って取られることも防ぐことが出来る。
【００３８】
以上の実施形態における飲食物搬送装置Ａでは、飲食物注文部２０として、第１の送受話手段２１及び第２の送受話手段２２を用い、これらの送受話手段を介して顧客が厨房室Ｓ１内の調理人に飲食物の注文を行う構成としていたが、この飲食物注文部を、例えば、図９に示すように、タッチパネル式ディスプレイ装置により構成することも可能である。
以下に、本実施形態における飲食物搬送装置Ｂについて説明する。なお、以下の説明において、上記実施形態における飲食物搬送装置Ａと同じ構成部分については、同じ符号を付して説明を省略することとする。
【００３９】
本実施形態における飲食物搬送装置Ｂの飲食物注文部であるタッチパネル式ディスプレイ装置５０は、液晶ディスプレイの前面にタッチセンサーが装着されており、液晶ディスプレイに表示された飲食物情報等の画像を指先等でタッチ操作することによって、どの画像がタッチされたかを出力する機能を備えている。
このタッチ式ディスプレイ装置５０は、客室Ｓ２のテーブル側に配設される複数からなるタッチ式ディスプレイ５１と、厨房室Ｓ１側に配設されるモニタ５２を備えている。
また、上記タッチパネル式ディスプレイ５１の横には、図１０に示すように、マイク５３とスピーカ５４とが設けられている。
【００４０】
図１０は、上記本実施形態のタッチパネル式ディスプレイ装置５０を説明するためのブロック図であって、図中、６０は制御装置である。
この制御装置６０は、データ出力線６１を介して各テーブルに設けられたタッチパネル式ディスプレイ５１に表示する画像を制御する画像制御機能６０ａと、スピーカ５４から合成音声を発する音声合成機能６０ｂと、マイク５３から出力する音声信号を認識する音声認識機能６０ｃと、データ入力線６２を介して前記タッチパネル式ディスプレイ５１においてタッチ操作された情報を認識するデータ入力機能６０ｄと、注文された飲食物情報と注文のあった座席番号情報とを厨房室Ｓ１に設置のモニタ５２に表示する報知機能６０ｅと、厨房室に設けられたマイク・スピーカ装置を介して、厨房の担当者が選択された客席と通話するために通話制御機能６０ｆと、を備えている。
【００４１】
次に以上の構成からなる飲食物注文部の作動について、制御装置６０によって表示される飲食物説明画像の例を用いて説明する。
本実施形態においては、飲食物説明画像として、図１１（ａ）に示す「鮨注文画面」がまず表示されるのであって、この画面では、材料となる種々の魚の泳いでいる画像が次々にアニメーション表示される。
【００４２】
そして、この画面内の任意の魚の画像、例えば「鯛」にタッチすると、図１１（ｂ）に示す「鮨注文画面」に切り替わるのであって、この画面では、「鯛」の画像と注文数ボタンの画像などが表示され、適宜、その魚「鯛」の説明やその魚を用いた寿司の説明などが文字や画像更には必要に応じて音声により説明される。
【００４３】
そして、画面内の注文数ボタン７１の画像をタッチすることによってその飲食物を注文する。直後であれば取消ボタン７２の画像をタッチすることで取り消すことも可能である。
【００４４】
以上のようにして、飲食物の種類と数量が指定されることにより注文が決定されると、制御装置６０の報知機能６０ｅによって、厨房室Ｓ１のモニタ５２には、図１２に示すように注文先の座席番号情報と注文情報とが表示される。
また、上記座席番号情報及び注文情報は、モニタ５２に設けられた送信部（図示せず）から後述する飲食物案内装置の受信部で送信され、該飲食物案内装置の表示器に表示されるとともに、注文の鮨をもった皿を循環搬送路３上における装置本体３０ａの後方に載せて、客室Ｓ２に向けて搬送される。
【００４５】
上記飲食物案内装置３０は、本実施形態においては、図１３及び図１４に示すように、装置本体３０ａは、平面視縦長の直方体に形成され、その一側面には、モニタ５２から発信される時系列信号を受信するための受信部３３と、モニタ５２により入力される座席番号（１）〜（１０）を視覚的に表示するための液晶性の表示器３１ａが組み込まれるとともに、所定の文字、即ち「番の席の方お取り下さい」の文字が記載されている。
また、この装置本体３０ａには、上記表示器３１ａの他に、顧客からの注文品の内容、具体的には、鮨ネタの名前が表示される表示器３１ｂが組み込まれている。
【００４６】
以上の構成からなる飲食物案内装置３０は、上述した飲食物案内装置と同様に、顧客からの注文があったときは、モニタ５２に設けられた送信部から送信された座席番号情報を受信して表示器３１ａに表示するとともに、表示器３１ｂに顧客からの注文情報の内容を表示する。
そして、注文された鮨を盛った皿Ｐを循環搬送路３上における装置
本体４０の後方に載せて、客室Ｓ２に向けて搬送する。
【００４７】
また、制御装置６０の画像制御機能６０ａによって、注文された飲食物が厨房から送り出された事を厨房室Ｓ１近傍に配設されたセンサ（図示せず）で検知すると、客席のタッチパネル式ディスプレイ装置５１の画面に、例えば「ご注文の品はただいま搬送中です」等の表示がなされる。
なお、上記センサは、飲食物案内装置３０から発信される座席番号情報を検知して、該座席番号のタッチパネル式ディスプレイ装置に信号を送信する。
【００４８】
この結果、注文主である顧客は、自分の注文した飲食物が搬送されたことを視覚的に確認することができるので、イライラすることもなく快適に飲食物の出来上がりを待つことができる。
【００４９】
【発明の効果】
請求項１の発明によれば、顧客は飲食物注文部の注文情報入力手段で飲食物の注文情報を入力し、この入力された注文情報は送信手段により各座席の座席番号情報とともに飲食物案内部に送信される。
飲食物案内部では、飲食物注文部から送信された座席番号情報を受信手段で受信して、表示手段で座席番号情報を表示する。
この結果、飲食物の注文作業及び案内作業を連動して行うことができ、これにより飲食物の注文及び案内を容易、かつ効率的に行うことができるという効果がある。
また、各座席の顧客は、装置本体の表示器を確認するだけで、循環搬送路により搬送されてくる鮨が自分の注文した品であるか否かを知ることが出来、他の飲食客に誤って取れられることも防ぐことが出来る。
【００５０】
請求項２の発明によれば、飲食物注文部に設けられた通知手段により、顧客からの注文情報を飲食物案内部で受信したことを通知する。
この結果、請求項１に記載の発明の効果に加えて、注文主である顧客は、自分の注文した飲食物の搬送状況を通知手段により確認することができるので、イライラすることもなく快適に飲食物の出来上がりを待つことができるという効果がある。
【図面の簡単な説明】
【図１】本発明にかかる飲食物案内装置を利用する飲食物搬送装置を設けた店舗内の概略平面図。
【図２】同、要部の拡大断面図。
【図３】循環搬送路に供給された表示体と鮨皿の状態の説明図。
【図４】飲食物注文部の構成図。
【図５】同、外観図。
【図６】本発明にかかる飲食物搬送装置の飲食物案内部を示す正面図。
【図７】同、側面図。
【図８】飲食物注文部及び飲食物案内部の構成を示すブロック図である
【図９】本発明にかかる飲食物案内装置を利用する別の実施形態の飲食物搬送装置を設けた店舗内の概略平面図。
【図１０】同、飲食物注文部の構成図。
【図１１】同、飲食物注文部の画面の説明図。
【図１２】同、飲食物注文部の画面の説明図。
【図１３】同、要部の拡大断面図。
【図１４】循環搬送路に供給された表示体と鮨皿の状態の説明図。
【符号の説明】
Ａ　　　飲食物搬送装置
３　　　循環搬送路
１０　　　飲食物搬送部
２０　　　飲食物注文部
３０　　　飲食物案内部
【図１】
2004016723.tif 000003
【図２】
2004016723.tif 000004
【図３】
2004016723.tif 000005
【図４】
2004016723.tif 000006
【図５】
2004016723.tif 000007
【図６】
2004016723.tif 000008
【図７】
2004016723.tif 000009
【図８】
2004016723.tif 000010
【図９】
2004016723.tif 000011
【図１０】
2004016723.tif 000012
【図１１】
2004016723.tif 000013
【図１２】
2004016723.tif 000014
【図１３】
2004016723.tif 000015
【図１４】
2004016723.tif 000016